(57)【要約】レンズ枠３１と、対物レンズ４０と、絞り板１８と、先端面３２ｓを有するとともに先端面３１ｆｓと先端面３２ｓとの間に段部Ｄが形成された突き当て部３２と、を具備し、絞り板１８の後方に接着剤溜まり空間３９が形成されており、接着剤溜まり空間３９内の接着剤Ａにより、絞り板１８の後端面１８ｋは、フランジ３１ｆの先端面３１ｆｓ及び突き当て部３２に固定されている。
2013128681.tif 000002
【特許請求の範囲】
【請求項１】
被検体内に挿入される挿入部の挿入方向の先端側に設けられ、一端に開口を有する保持孔を形成する内周面を内部に有するとともに該内周面の径方向の内側に突出する周状のフランジを有する保持枠と、
前記フランジよりも前記開口側の前記保持枠の前記内周面に接着剤を介して外周面が固定されるとともに、前記開口側の先端面が前記開口より外部に露出し、前記フランジ側の後端面の前記径方向の中央に前記開口側に凹む球欠部が形成されたレンズと、
前記保持孔において、前記レンズと前記フランジとの間に配設されるとともに、前記フランジよりも前記開口側の前記内周面に前記接着剤を介して外周面が固定され、前記レンズの前記球欠部を除く前記後端面に前記接着剤を介して前記開口側の先端面が固定されるとともに、前記径方向の中央に開口が形成された絞り板と、
前記保持孔において、前記絞り板よりも前記フランジ側で且つ前記径方向における前記フランジの内周側に位置するとともに、前記絞り板の前記フランジ側の後端面に突き当たる突き当て面を有し、該突き当て面が前記フランジの前記開口側の先端面よりも前記開口側に位置することにより、前記フランジの前記先端面と前記突き当て面との間に周状の段部を形成する突き当て部と、
を具備し、
前記絞り板が前記突き当て面に当接することにより、前記絞り板の前記フランジ側に、前記絞り板、前記突き当て部及び前記フランジから構成された接着剤溜まり空間が形成されており、該接着剤溜まり空間内の前記接着剤により、前記絞り板の前記後端面は、前記フランジの前記先端面及び前記突き当て部に固定されていることを特徴とする内視鏡。
【請求項２】
前記径方向において前記レンズの前記外周面と前記保持枠の前記内周面との間に形成された、前記接着剤が注入された第１の間隙と、
前記絞り板の前記先端面と前記レンズの前記球欠部を除く前記後端面との間に形成された、前記接着剤が注入された第２の間隙と、
前記径方向において、前記絞り板の前記外周面と前記保持枠の前記内周面との間に前記第１の間隙と同じ間隔で形成された、前記接着剤が注入された第３の間隙と、
を具備し、
前記第１の間隙と前記第２の間隙と前記第３の間隙とは互いに連通しており、さらに前記接着剤溜まり空間に連通していることを特徴とする請求項１に記載の内視鏡。
【請求項３】
前記突き当て部は、前記径方向の中央に開口が形成されているとともに、前記フランジの前記径方向内側の延出端から前記開口側に延出するよう前記延出端に接続された筒状部材であり、前記延出端は、前記筒状部材の外周面に当接していることを特徴とする請求項１または２に記載の内視鏡。
【請求項４】
前記突き当て部は、前記径方向の中央に開口が形成されているとともに、前記フランジの前記延出端側における前記先端面から前記開口側に延出するよう前記フランジの前記先端面に接続された筒状部材であり、
前記フランジの前記延出端側における前記先端面は、前記筒状部材の前記フランジ側の後端面に当接していることを特徴とする請求項１または２に記載の内視鏡。
【請求項５】
前記筒状部材は、前記フランジと一体的に形成されていることを特徴とする請求項３または４に記載の内視鏡。
【請求項６】
前記突き当て部は、前記保持孔において前記絞り板よりも前記フランジ側に位置する前記レンズとは異なる他のレンズであり、
前記他のレンズの外周面に前記フランジの前記径方向内側の延出端が当接することにより、前記接着剤溜まり空間が形成されていることを特徴とする請求項１または２に記載の内視鏡。
【請求項７】
前記突き当て部は、前記保持孔において前記絞り板よりも前記フランジ側に位置する前記レンズとは異なる他のレンズと前記絞り板との間隔を位置付ける間隔管であり、
前記間隔管は、前記保持孔において前記絞り板よりも前記フランジ側に位置し、前記径方向の中央に開口が形成されるとともに前記フランジの前記径方向内側の延出端に外周面が嵌合し、
前記間隔管の外周面に前記フランジの前記延出端が当接することにより、前記接着剤溜まり空間が形成されていることを特徴とする請求項１または２に記載の内視鏡。
【請求項８】
前記突き当て部は、前記径方向の中央に開口が形成されるとともに前記フランジの前記先端面または前記絞り板の前記後端面に接着固定されたリング状の板状部材であり、
前記板状部材の前記フランジ側の後端面に、前記フランジの前記先端面の前記径方向内側の延出端側部位が当接することにより、前記接着剤溜まり空間が形成されていることを特徴とする請求項１または２に記載の内視鏡。
【請求項９】
前記絞り板の前記外周面において、前記絞り板の周方向の一部に、前記接着剤が注入される切り欠き部が形成されていることを特徴とする請求項１〜８のいずれか１項に記載の内視鏡。
【請求項１０】
前記保持枠の前記フランジより前記開口側の前記内周面において、前記内周面の周方向の一部に前記レンズの光軸方向に沿った前記接着剤が注入される溝部が形成されていることを特徴とする請求項１〜８のいずれか１項に記載の内視鏡。
【請求項１１】
前記溝部は、前記接着剤溜まり空間に連通していることを特徴とする請求項１０に記載の内視鏡。
【発明の詳細な説明】
【技術分野】
【０００１】
本発明は、被検体内に挿入される挿入部の先端側内の保持枠内に、レンズと該レンズの後方に位置する絞りとが固定された内視鏡に関する。
【背景技術】
【０００２】
近年、被検体内に挿入される内視鏡は、医療分野及び工業用分野において広く利用されている。内視鏡は、細長い挿入部を被検体内に挿入することによって、被検体内を観察することができる。【０００３】
また、内視鏡の挿入部の挿入方向先端側（以下、単に先端側と称す）に設けられた先端部内には、被検体内を撮像する撮像ユニットが設けられている。【０００４】
撮像ユニットは、複数のレンズを有し、該複数のレンズは、先端部内に設けられた保持枠における先端側に開口が設けられた保持孔内に保持されている。【０００５】
さらに、複数のレンズの内、最も先端側に位置するレンズ（以下、対物レンズと称す）は、先端部の先端側の面（以下、先端面と称す）に位置する保持孔の先端側の開口を介して、先端部の先端面から露出するよう保持枠に保持されている。【０００６】
尚、複数のレンズは、該複数のレンズの径方向の外周側の面（以下、外周面と称す）が保持枠の保持孔を形成する内周側の面（以下、内周面と称す）に対して、エポキシ樹脂等から構成された接着剤によって接着固定される構成が周知である。【０００７】
ここで、対物レンズとして、挿入部の被検体への挿入方向の後端側（以下、単に後端側と称す）に位置し対物レンズの先端面と対向する対物レンズの面（以下、後端面と称す）における対物レンズの径方向の中央に、対物レンズの光軸方向の前方であり保持孔の開口側（以下、単に前方と称す）に向け凹む球欠部が形成されている既知の平凹レンズを用いる場合がある。【０００８】
しかしながら、対物レンズとして平凹レンズを用いる場合、保持枠内と保持枠外、即ち被検体内とにおいて温度差が生じていると、接着剤を介して水分が被検体内から保持枠内に進入してしまう結果、球欠部に水蒸気が溜まってしまい、球欠部が曇ってしまうといった問題があった。【０００９】
このような問題に鑑み、日本国第特開平５−１１３５４２号公報では、対物レンズの後端面の外周部位に対物レンズの外周面と後端面とを結ぶテーパ面を形成し、テーパ面と保持枠の内周面との間にも接着剤を充填して、接着剤の塗布距離を長くすることにより水分の進入経路を長くすることによって球欠部の曇りを防止する構成が開示されている。【００１０】
ところで、対物レンズの後端面において、球欠部を除く面には、通常、対物レンズを通過する光の乱反射を防ぐため、径方向の中央、即ち球欠部に対向する領域に開口を有する絞り板が設けられているのが一般的である。【００１１】
ここで、日本国第特開平５−１１３５４２号公報では、対物レンズの上述したテーパ面に充填された接着剤を介して保持枠の内周面に固定されるとともに対物レンズの球欠部を除く後端面に当接する絞り板が開示されている。【００１２】
具体的には、日本国第特開平５−１１３５４２号公報では、絞り板は、絞り板の後端面が保持枠の内周面から該内周面の径方向内側に突出した位置決め用のフランジに載置され、外周面が保持枠の内周面に当接するとともに、絞り板の先端面が対物レンズの球欠部を除く後端面に当接した状態において、対物レンズの上述したテーパ面に充填された接着剤を介して保持枠の内周面に固定されている。【００１３】
しかしながら、この構成では、絞り板の外周面は単に保持枠の内周面に当接しているだけであり、また、絞り板の後端面は単にフランジに当接しているだけであり、絞り板の外周面と保持枠の内周面との間および絞り板の後端面とフランジとの間には接着剤が介在しておらず、接着剤が介在する構成に比べ、絞り板の外周面及び後端面を介して水分が球欠部に進入しやすいといった問題があった。【００１４】
このような問題に鑑み、絞り板の外周面を保持枠の内周面に接着剤を用いて固定するとともに絞り板の後端面をフランジに接着剤を用いて固定する構成も考えられる。【００１５】
しかしながら、この構成では、絞り板の後端面とフランジとの間に接着剤を安定して充填し難いといった問題があった。【００１６】
本発明は、上記事情に鑑みなされたものであり、対物レンズの後端面へ接着剤を安定して充填し保持枠の保持孔に対物レンズ及び絞り板を安定して固定できるとともに、対物レンズの後端面の球欠部の曇りを低減することができる構成を具備する内視鏡を提供することを目的とする。
【発明の開示】
【課題を解決するための手段】
【００１７】
本発明の一態様による内視鏡は、被検体内に挿入される挿入部の挿入方向の先端側に設けられ、一端に開口を有する保持孔を形成する内周面を内部に有するとともに該内周面の径方向の内側に突出する周状のフランジを有する保持枠と、前記フランジよりも前記開口側の前記保持枠の前記内周面に接着剤を介して外周面が固定されるとともに、前記開口側の先端面が前記開口より外部に露出し、前記フランジ側の後端面の前記径方向の中央に前記開口側に凹む球欠部が形成されたレンズと、前記保持孔において、前記レンズと前記フランジとの間に配設されるとともに、前記フランジよりも前記開口側の前記内周面に前記接着剤を介して外周面が固定され、前記レンズの前記球欠部を除く前記後端面に前記接着剤を介して前記開口側の先端面が固定されるとともに、前記径方向の中央に開口が形成された絞り板と、前記保持孔において、前記絞り板よりも前記フランジ側で且つ前記径方向における前記フランジの内周側に位置するとともに、前記絞り板の前記フランジ側の後端面に突き当たる突き当て面を有し、該突き当て面が前記フランジの前記開口側の先端面よりも前記開口側に位置することにより、前記フランジの前記先端面と前記突き当て面との間に周状の段部を形成する突き当て部と、を具備し、前記絞り板が前記突き当て面に当接することにより、前記絞り板の前記フランジ側に、前記絞り板、前記突き当て部及び前記フランジから構成された接着剤溜まり空間が形成されており、該接着剤溜まり空間内の前記接着剤により、前記絞り板の前記後端面は、前記フランジの前記先端面及び前記突き当て部に固定されている。
【図面の簡単な説明】
【００１８】
【図１】第１実施の形態の内視鏡を示す斜視図
【図２】図１中のII-II線に沿う挿入部の先端部の断面図
【図３】図２中のIII線で囲んだ部位を拡大するとともに、向きを変えて示す部分断面図
【図４】図３の突き当て部材とフランジとを一体的に形成した変形例を示す部分断面図
【図５】図３の対物レンズの後端面に、切り欠きを形成した変形例を示す部分断面図
【図６】図３の保持枠内の接着剤溜まり空間に第１及び第３の間隙を介して接着剤を注入した状態を示す部分断面図
【図７】図６の接着剤溜まり空間に接着剤を注入し続けた結果、第２及び第３の間隙に接着剤が注入された状態を示す部分断面図
【図８】図７の接着剤溜まり空間に接着剤を注入し続けた結果、第１〜第３の間隙に接着剤が注入された状態を示す部分断面図
【図９】第２実施の形態を示す内視鏡の挿入部の先端部内に設けられた前側レンズ及び前側レンズ枠の先端側を示す部分断面図
【図１０】第３実施の形態を示す内視鏡の挿入部の先端部内に設けられた前側レンズ及び前側レンズ枠の先端側を示す部分断面図
【図１１】第４実施の形態を示す内視鏡の挿入部の先端部内に設けられた前側レンズ及び前側レンズ枠の先端側を示す部分断面図
【図１２】図１１のフランジの先端面に板状部材の後端面を貼着した状態のみを示す部分断面図
【図１３】図１１の絞り板の後端面に板状部材の先端面を貼着した状態のみを示す部分断面図
【図１４】第５実施の形態を示す内視鏡の挿入部の先端部内に設けられた前側レンズ及び前側レンズ枠の先端側を示す部分断面図
【図１５】図１４の絞り板を、図１４中のXV方向からみた平面図
【図１６】第６実施の形態を示す内視鏡の挿入部の先端部内に設けられた前側レンズ及び前側レンズ枠の先端側を示す部分断面図
【図１７】図１６の前側レンズ枠を、図１６中のXVII方向からみた平面図
【発明を実施するための最良の形態】
【００１９】
以下、図面を参照して本発明の実施の形態を説明する。尚、図面は模式的なものであり、各部材の厚みと幅との関係、それぞれの部材の厚みの比率などは現実のものとは異なることに留意すべきであり、図面の相互間においても互いの寸法の関係や比率が異なる部分が含まれていることは勿論である。【００２０】
（第１実施の形態）
図１は、本実施の形態の内視鏡を示す斜視図、図２は、図１中のII-II線に沿う挿入部の先端部の断面図である。【００２１】
図１に示すように、内視鏡１は、被検体内に挿入される挿入部２と、該挿入部２の後端側に設けられた操作部６と、該操作部６から延出されたユニバーサルコード７と、該ユニバーサルコード７の延出端に設けられたコネクタ８とを具備して主要部が構成されている。【００２２】
尚、コネクタ８が、既知の図示しない光源装置等に接続自在なことにより、内視鏡１は、周辺装置に接続自在となっている。【００２３】
挿入部２は、先端側から順に、先端部３と湾曲部４と可撓管部５とを具備して主要部が構成されている。湾曲部４は、操作部６に設けられた湾曲操作ノブ６ｎ、６ｍにより、例えば上下左右の４方向に湾曲操作されるものであり、先端部３と可撓管部５との間に設けられている。【００２４】
また、挿入部２は、被検体内に、図１に示される挿入方向Ｓに向かって挿入される。つまり挿入方向Ｓは、先端部３の中心軸と平行で、先端部３の先端方向に向かった方向である。【００２５】
図２に示すように、挿入部２の先端部３は、例えば、硬質な金属から形成された先端硬質部材１０を具備している。【００２６】
図２に示すように、先端硬質部材１０の挿入方向Ｓに沿った貫通孔１０ｈ１には、先端部３の先端面３ｓに対し、複数のレンズ４０〜４３から構成された前側レンズ１４０の内、最も前方に位置する対物レンズ４０の先端面４０ｓが臨むように、撮像ユニット２００が挿通されている。尚、対物レンズ４０の詳しい構成は後述する。【００２７】
また、先端硬質部材１０の挿入方向Ｓに沿った貫通孔１０ｈ５には、先端面３ｓに開口２０ｋを有する処置具挿通用管路２０が挿通されている。【００２８】
処置具挿通用管路２０は、先端硬質部材１０の貫通孔１０ｈ５に挿通されたチャンネルパイプ２０ｐと、該チャンネルパイプ２０ｐの後端側の外周に、糸巻き等により先端側が嵌合固定された柔軟なチューブ２１とから主要部が構成されている。【００２９】
また、チャンネルパイプ２０ｐ及びチューブ２１の内部の空間に、処置具が挿通自在であるとともに吸引された液体や固体が通過可能な通路が形成されている。尚、処置具挿通用管路２０の後端は、操作部６の処置具挿入口６ａ（図１参照）において開口されている。【００３０】
撮像ユニット２００において、前側レンズ１４０及び後述する絞り板１８を保持する保持枠である前側レンズ枠（以下、単にレンズ枠と称す）３１の挿入方向Ｓの略半部に形成された段部の外周に、後側レンズ枠３５の先端側が固定されている。尚、レンズ枠３１の前半部内の詳しい構成は後述する。【００３１】
後側レンズ枠３５の内周において、前側レンズ１４０のレンズ４３よりも挿入方向Ｓの後方（以下、単に後方と称す）に、移動レンズ４４を保持する移動レンズ枠３４が嵌入されている。【００３２】
また、後側レンズ枠３５の内周において、移動レンズ４４よりも後方に、複数のレンズから構成された後側レンズ４５が固定されている。【００３３】
さらに、後側レンズ枠３５の後端側の内周において、後側レンズ４５よりも後方に、先端側から順に、レンズ４６、カバーガラス４７を保持する素子枠３６の先端側が嵌入固定されている。尚、素子枠３６の後端側の外周には、シールド材５５の先端側が固定されている。【００３４】
さらに、素子枠３６の外周には、素子枠３６の挿入方向Ｓに沿った後半部及びシールド材５５の外周を覆う熱収縮チューブ５６の先端側が固定されている。【００３５】
尚、熱収縮チューブ５６の後端側は、保護チューブ５２の先端側の外周に固定されている。尚、保護チューブ５２は、信号ケーブル５１の外周を被覆して信号ケーブル５１を保護している。【００３６】
ＣＣＤやＣＭＯＳ等の撮像素子４９は、シールド材５５及び熱収縮チューブ５６によって閉塞された気密な空間に、熱可塑性樹脂５７とともに配設されている。【００３７】
撮像素子４９の撮像面には、該撮像面を保護するカバーガラス４８が貼着されており、カバーガラス４８の先端側の面に、カバーガラス４７が貼着されている。尚、上述したように、カバーガラス４７は、外周が素子枠３６の内周に固定されている。その結果、カバーガラス４８、撮像素子４９は、カバーガラス４７を介して素子枠３６に固定されている。【００３８】
撮像素子４９の背面には、複数の電子部品が搭載された基板５０が設けられており、該基板５０に、既知の信号ケーブル５１の先端から延出した複数のリード線５３が電気的に接続されている。【００３９】
先端硬質部材１０の挿入方向Ｓの外周面１０ｇにおける後端側には、円環状の湾曲管１２の先端側が固定されている。さらに、外周面１０ｇの後半部には、先端部３、湾曲部４、可撓管部５の外表面を構成する外皮１１の先端側が、湾曲管１２の先端側を覆うように、例えば糸巻き接着等により固定されている。【００４０】
また、先端硬質部材１０の外周面１０ｇにおける外皮１１よりも先端側と、先端硬質部材１０の先端面１０ｓとに対し、対物レンズ４０や開口２０ｋ及びその他の図示しない照明窓や開口等が先端面３ｓから露出されるよう、例えば樹脂から形成されたカバー部材１５が被覆されて、接着剤等によって固定されている。尚、上述した先端部３内の構成は一例であり、この構成に限定されないことは勿論である。【００４１】
次に、レンズ枠３１及び前側レンズ１４０の先端側の構成について、図３〜図５を用いて説明する。図３は、図２中のIII線で囲んだ部位を拡大するとともに、向きを変えて示す部分断面図である。【００４２】
また、図４は、図３の突き当て部材とフランジとを一体的に形成した変形例を示す部分断面図、図５は、図３の対物レンズの後端面に、切り欠きを形成した変形例を示す部分断面図である。【００４３】
先端部３内に設けられたレンズ枠３１は、上述したように、レンズ枠３１内に設けられ該レンズ枠３１の先端側に開口３１ｈｓを有する保持孔３１ｈの内部に前側レンズ１４０を保持するものである。【００４４】
図３に示すように、保持孔３１ｈを形成する内周面３１ｎには、挿入方向Ｓと一致する保持孔３１ｈの中心軸（内周面３１ｎの中心軸）方向における対物レンズ４０とその他のレンズであるレンズ４１との間の空間に、内周面３１ｎの径方向Ｒの内側に突出する周状の内向フランジ（以下、単にフランジと称す）３１ｆが形成されている。【００４５】
対物レンズ４０は、保持孔３１ｈのフランジ３１ｆ側（以下、後方と称す）に位置する後端面４０ｋの、径方向Ｒの中央に、保持孔３１ｈの先端開口側（以下、前方と称す）に半球状に凹む球欠部４０ｑが形成された既知の平凹レンズから構成されている。【００４６】
また、対物レンズ４０は、保持孔３１ｈにおいて、フランジ３１ｆよりも前方において、対物レンズ４０の外周面４０ｇとレンズ枠３１の内周面３１ｎとの間に形成された第１の間隙Ｋ１に注入された接着剤Ａにより、外周面４０ｇが接着剤Ａを介して固定されている。【００４７】
尚、接着剤Ａとしては、流動性が高く熱の付与によって硬化する接着剤、例えばエポキシ系の接着剤が挙げられる。また、第１の間隙Ｋ１は、対物レンズ４０の径方向Ｒの外径が内周面３１ｎの径方向の径よりも小さいことにより形成されている。【００４８】
また、保持孔３１ｈにおいて、対物レンズ４０とフランジ３１ｆとの間に配設され、フランジ３１ｆよりも前方の内周面３１ｎにおける位置に、対物レンズ４０と外径が略同径であるとともに径方向Ｒの中央に開口１８ｈが形成された絞り板１８の外周面１８ｇが接着剤Ａにより固定されている。【００４９】
詳しくは、絞り板１８の外周面１８ｇは、該外周面１８ｇと内周面３１ｎとの間において第１の間隙Ｋ１と径方向Ｒに略同じ間隔で形成されるとともに第１の間隙Ｋ１に連通する第３の間隙Ｋ３に注入された接着剤Ａにより、内周面３１ｎに固定されている。尚、第３の間隙Ｋ３は、絞り板１８の径方向Ｒの外径が内周面３１ｎの径方向の径よりも小さいことにより形成されている。【００５０】
また、絞り板１８の先端面１８ｓは、挿入方向Ｓであり保持孔３１ｈの中心軸方向において先端面１８ｓと対物レンズ４０の球欠部４０ｑを除く後端面４０ｋとの間に形成されるとともに第１の間隙Ｋ１及び第３の間隙Ｋ３に連通する第２の間隙Ｋ２に注入された接着剤Ａにより、対物レンズ４０の球欠部４０ｑを除く後端面４０ｋの全面に固定されている。尚、第２の間隙Ｋ２は、後端面４０ｋと先端面１８ｓとの間に注入される接着剤Ａにより形成される。【００５１】
ここで、第２の間隙Ｋ２に接着剤が注入されやすくするよう、対物レンズ４０の球欠部４０ｑを除く後端面４０ｋの表面粗さを粗く形成しても構わない。【００５２】
尚、表面粗さが粗く形成された球欠部４０ｑを除く後端面４０ｋは、対物レンズ４０を通過する光の乱反射を防ぐ機能も有する。【００５３】
また、対物レンズ４０の球欠部４０ｑを除く後端面４０ｋと、絞り板１８の先端面１８ｓとの間に、接着剤溜まり空間３８を形成する構成としてもよい。すなわち、図５に示すように、対物レンズ４０の球欠部４０ｑを除く後端面４０ｋに、接着剤溜まり空間３８を形成するための切り欠き４０ｋａを形成してもよい。この場合、球欠部４０ｑおよび切り欠き４０ｋａを除く対物レンズ４０の後端面４０ｋと、絞り板１８の先端面１８ｓとが突き当たり、該接着剤溜まり空間３８が第２の間隙Ｋ２として接着剤Ａが充填され、これにより絞り板１８が対物レンズ４０に固定されることとなる。【００５４】
なお、接着剤溜まり空間３８を形成するための対物レンズ４０の形状は、切り欠き４０ｋａに限らず、例えば、前述した特許文献１に記載のテーパ面としてもよい。【００５５】
また、接着剤溜まり空間３８を形成するために、対物レンズ４０の切り欠き４０ｋａではなく、対物レンズ４０より外径が小さく、径方向Ｒの中央に絞り板１８の開口１８ｈと同等もしくは大きな開口が形成された、リング状の不図示のスペーサ板を、対物レンズ４０の後端面４０ｋと絞り板１８の先端面１８ｓとの間に配設してもよい。この場合、対物レンズ４０の後方に、対物レンズ４０の後端面４０ｋ、スペーサ板の外周面、絞り板１８の先端面１８ｓ、保持孔３１ｈの内周面３１ｎから構成された、第２の間隙Ｋ２である接着剤溜まり空間３８が形成される。【００５６】
保持孔３１ｈにおいて、絞り板１８よりも後方で且つ径方向Ｒにおけるフランジ３１ｆより内周側に、絞り板１８の後端面１８ｋに突き当たるとともにフランジ３１ｆの先端面３１ｆｓよりも前方に位置する突き当て面である先端面３２ｓを有し、また径方向Ｒの中央に開口３２ｈを有する突き当て部である筒状部材３２が、フランジ３１ｆの径方向Ｒの内側の延出端面（内周面）３１ｆｎから前方に延出するよう延出端面３１ｆｎに固定されている。即ち、フランジ３１ｆの延出端面３１ｆｎは、筒状部材３２の外周面３２ｇに当接している。【００５７】
尚、フランジ３１ｆの延出端面３１ｆｎと筒状部材３２の外周面３２ｇとの固定は、嵌合による固定でも、接着による固定でも良い。【００５８】
また、フランジ３１ｆの延出端面３１ｆｎと筒状部材３２の外周面３２ｇとが螺合するようにネジ部を形成し、フランジ３１ｆの先端面３１ｆｓに対する筒状部材３２の先端面３２ｓの突出量が調整できるようにしてもよい。【００５９】
そして、筒状部材３２の先端面３２ｓがフランジ３１ｆの先端面３１ｆｓよりも前方に位置していることにより、先端面３１ｆｓと先端面３２ｓとの間には周状の段部Ｄが形成されているとともに、延出端面３１ｆｎが外周面３２ｇに当接し且つ絞り板１８の後端面１８ｋが先端面３２ｓに当接していることにより、絞り板１８の後方に、絞り板１８の後端面１８ｋ、筒状部材３２の外周面３２ｇ、フランジ３１ｆの先端面３１ｆｓ、レンズ枠３１の内周面３１ｎから構成された接着剤溜まり空間３９が形成されている。【００６０】
尚、図４に示すように、フランジ３１ｆは、クランク部３３として筒状部材３２と一体的に形成されていても構わない。【００６１】
接着剤溜まり空間３９は、上述した第１の間隙Ｋ１、第２の間隙Ｋ２、第３の間隙Ｋ３に連通しており、接着剤溜まり空間３９内に注入された接着剤Ａにより、絞り板１８の後端面１８ｋは、フランジ３１ｆの先端面３１ｆｓ及び筒状部材３２の外周面３２ｇに固定されている。【００６２】
また、レンズ枠３１内において、フランジ３１ｆよりも後方に、レンズ４１が内周面３１ｎに接着固定されている。【００６３】
尚、その他のレンズ枠３１内への他のレンズ４２、４３の固定構造は周知であるため、その説明は省略する。【００６４】
次に、レンズ枠３１内への対物レンズ４０、絞り板１８の固定方法を図６〜図８を用いて説明する。【００６５】
図６は、図３の保持枠内の接着剤溜まり空間に第１及び第３の間隙を介して接着剤を注入した状態を示す部分断面図、図７は、図６の接着剤溜まり空間に接着剤を注入し続けた結果、第２及び第３の間隙に接着剤が注入された状態を示す部分断面図、図８は、図７の接着剤溜まり空間に接着剤を注入し続けた結果、第１〜第３の間隙に接着剤が注入された状態を示す部分断面図である。【００６６】
先ず、レンズ枠３１内に対物レンズ４０、絞り板１８を固定する場合には、筒状部材３２の先端面３２ｓが上方を指向した向きにおいて、保持孔３１ｈの先端開口３１ｈｓを介して、内部に絞り板１８を嵌入する。【００６７】
その結果、絞り板１８の後端面１８ｋの一部は、筒状部材３２の先端面３２ｓに突き当たることにより、保持孔３１ｈにおいて絞り板１８が位置決めされるともに、絞り板１８の外周面１８ｇとレンズ枠３１の内周面３１ｎとの間には、第３の間隙Ｋ３が形成されるとともに、上述した接着剤溜まり空間３９が形成される。【００６８】
その後、保持孔３１ｈの先端開口３１ｈｓを介して、内部に対物レンズ４０を嵌入すると、対物レンズ４０の球欠部４０ｑを除く後端面４０ｋの全面が、絞り板１８の先端面１８ｓに突き当たることにより、保持孔３１ｈにおいて対物レンズ４０が位置決めされるとともに、対物レンズ４０の外周面４０ｇとレンズ枠３１の内周面３１ｎとの間には、第１の間隙Ｋ１が形成される。【００６９】
次いで、レンズ枠３１を加温した状態において、接着剤Ａを、保持孔３１ｈの先端開口３１ｈｓから第１の間隙Ｋ１内へ注入する。【００７０】
その結果、図６に示すように、接着剤Ａは、第１の間隙Ｋ１及び第３の間隙Ｋ３を介して接着剤溜まり空間３９内に注入される。この際、接着剤溜まり空間３９の段部Ｄにより、接着剤Ａが堰き止められることから、対物レンズ４０の球欠部４０ｑ側に接着剤Ａが流れ込み難くなっている他、さらに絞り板１８の後端面１８ｋと筒状部材３２の先端面３２ｓとの間にも接着剤Ａが流れ込み難くなっている。【００７１】
尚、従来の日本国第特開平５−１１３５４２号公報においては、フランジの先端面が絞り板の後端面に突き当たり、フランジの先端面に対して、フランジの外周面から絞り板の後端面とフランジの先端面との間に向かって傾斜するテーパ面が形成されることにより、テーパ面によって絞り板の後方に空間が形成された構成も開示されている。【００７２】
しかしながら、日本国第特開平５−１１３５４２号公報では絞り後方の空間に接着剤を注入する構成は無い他、空間が径方向に沿って絞り板の後端面とフランジの先端面との間に向かって徐々に小さくなっていくよう形成されていることから、仮に接着剤が空間に注入できたとしても接着剤がテーパ面に沿って流れ、絞り板の後端面とフランジの先端面との間に流れ込みやすくなってしまう。【００７３】
これに対して、本構成においては、接着剤溜まり空間３９において、絞り板１８の後端面１８ｋと筒状部材３２の先端面３２ｓとの間の間隙に対して略垂直な段部Ｄが形成されていることにより、従来に比べこの間隙に接着剤Ａが進入し難くなっている。即ち、この間隙を介して球欠部４０ｑに接着剤Ａが流れ出難くなっている。【００７４】
図６に戻って、その後、接着剤Ａを注入し続け、接着剤溜まり空間３９内に接着剤Ａが全て充填されると、接着剤Ａは、接着剤溜まり空間３９から溢れ出し、図７に示すように、第３の間隙Ｋ３に充填されるとともに、対物レンズ４０の球欠部４０ｑを除く後端面４０ｋと絞り板１８の先端面１８ｓの間の第２の間隙Ｋ２に、既知の毛細管現象によって入り込み、第２の間隙Ｋ２に充填される。【００７５】
その後、接着剤Ａを注入し続けると、図８に示すように、第１の間隙Ｋ１にも接着剤溜まり空間３９から溢れ出した接着剤Ａは充填される。即ち、接着剤溜まり空間３９は、上述したように、第１の間隙Ｋ１、第２の間隙Ｋ２、第３の間隙Ｋ３に連通していることから、接着剤溜まり空間３９に接着剤Ａが注入されれば、第１の間隙Ｋ１〜第３の間隙まで全ての間隙に接着剤Ａが充填される。【００７６】
接着剤溜まり空間３９及び第１の間隙Ｋ１〜第３の間隙Ｋ３全てに接着剤Ａが充填された後は、最後にレンズ枠３１を高温環境下に載置することにより、接着剤Ａは硬化される。【００７７】
尚、レンズ枠３１の保持孔３１ｈへの対物レンズ４０、絞り板１８の固定方法は、以上に限定されず、先ず、接着剤溜まり空間３９となる位置に接着剤Ａを塗布し、次いで、先端面３２ｓに絞り板１８の後端面１８ｋの一部が突き当たるまで絞り板１８を保持孔３１ｈに嵌入し、次いで、第３の間隙Ｋ３に接着剤Ａを注入し、次いで、絞り板１８の先端面１８ｓに接着剤Ａを塗布し、その後、塗布された接着剤Ａを介して保持孔３１ｈに嵌入した対物レンズ４０の球欠部４０ｑを除く後端面４０ｋを絞り板１８の先端面１８ｓに貼着し、最後に第１の間隙に接着剤Ａを注入する方法でも良い。【００７８】
ところが、この方法では作業性が悪いとともに、挿入方向Ｓと一致する保持孔３１ｈの中心軸方向において、第２の間隙に注入される接着剤Ａの厚みが上述した本実施の形態の方法よりも大きくなってしまうといった欠点がある。【００７９】
そこで、上述したように、第２の間隙Ｋ２に接着剤Ａを毛細管現象を用いて注入すれば、接着剤Ａは第２の間隙Ｋ２に浸透するよう注入されていくため、第２の間隙Ｋ２における接着剤Ａの挿入方向Ｓにおける厚みを薄くすることができるメリットがあることから、本実施の形態においては、上述した方法を例として示している。【００８０】
このように、本実施の形態においては、対物レンズ４０の球欠部４０ｑを除く後端面４０ｋの全面に、絞り板１８の先端面１８ｓが、後端面４０ｋと先端面１８ｓとの間の第２の間隙Ｋ２に注入された接着剤Ａを介して固定されていると示した。【００８１】
また、フランジ３１ｆの延出端面３１ｆｎが筒状部材３２の外周面３２ｇに当接し、筒状部材３２においてフランジ３１ｆの先端面３１ｆｓより前方に位置する先端面３２ｓが、絞り板１８の後端面１８ｋに突き当たっていることにより、絞り板１８の後方に、絞り板１８の後端面１８ｋ、筒状部材３２の外周面３２ｇ、フランジ３１ｆの先端面３１ｆｓ、レンズ枠３１の内周面３１ｎから構成された接着剤溜まり空間３９が形成され、接着剤溜まり空間３９内に注入された接着剤Ａにより、絞り板１８の後端面１８ｋは、フランジ３１ｆの先端面３１ｆｓ及び筒状部材３２の外周面３２ｇに固定されていると示した。【００８２】
このことによれば、後端面４０ｋと先端面１８ｓとの間の第２の間隙Ｋ２にも接着剤Ａを毛細管現象を用いて安定して充填することができ、その結果、第２の間隙Ｋ２に接着剤Ａが介在されていることから、対物レンズ４０の外周面４０ｇの先端から球欠部４０ｑまで、第１の間隙Ｋ１、第２の間隙Ｋ２には全て接着剤Ａが充填されているため、接着剤Ａを介した水分の進入経路が従来よりも長くすることができ、水分が球欠部４０ｑに付着してしまうことを即ち球欠部４０ｑでの曇りの発生を低減させることができる。【００８３】
また、第３の間隙Ｋ３や絞り板１８の後方の接着剤溜まり空間３９にも接着剤Ａが注入されていることから、絞り板１８の後端面１８ｋ側における水分の進入経路にも接着剤Ａが注入されているため、絞り板１８の後端面１８ｋ側における接着剤Ａの進入経路が従来よりも長くなることから、水分が球欠部４０ｑに付着してしまうことを、即ち球欠部４０ｑでの曇りの発生を低減させることができる。【００８４】
さらに、絞り板１８の後方には、段部Ｄを有する接着剤溜まり空間３９が形成されていることにより、段部Ｄにより、接着剤溜まり空間３９に注入された接着剤Ａが、先端面３２ｓと絞り板１８の後端面１８ｋとの間隙に進入し難くなっていることから、先端面３２ｓと絞り板１８の後端面１８ｋとの間隙から接着剤Ａが球欠部４０ｑに流れ出してしまうことを、段部Ｄにより防ぐことができる。【００８５】
また、第１の間隙Ｋ１、第２の間隙Ｋ２、第３の間隙Ｋ３、接着剤溜まり空間３９に充填された接着剤Ａにより、対物レンズ４０、絞り板１８は、レンズ枠３１の内周面３１ｎに強固に接着固定される。【００８６】
以上から対物レンズ４０の後端面４０ｋへ接着剤Ａを安定して充填し保持孔３１ｈに対物レンズ４０及び絞り板１８を安定して固定できるとともに、対物レンズ４０の後端面４０ｋの球欠部４０ｑの曇りを低減することができる構成を具備する内視鏡１を提供することができる。【００８７】
（第２実施の形態）
図９は、本実施の形態を示す内視鏡の挿入部の先端部内に設けられた前側レンズ及び前側レンズ枠の先端側を示す部分断面図である。【００８８】
この第２実施の形態の内視鏡の構成は、上述した図１〜図３に示した第１実施の形態の内視鏡と比して、突き当て部が前側レンズの内、対物レンズの後方に位置するレンズから構成されている点が異なる。よって、この相違点のみを説明し、第１実施の形態と同様の構成には同じ符号を付し、その説明は省略する。【００８９】
図９に示すように、本実施の形態においては、突き当て部は、保持孔３１ｈにおいて、絞り板１８よりも後方に位置する、対物レンズ４０とは異なるレンズ、具体的には、前側レンズ１４０を構成するレンズ４１から構成されている。【００９０】
より具体的には、本実施の形態においては、レンズ４１の先端面４１ｓにおける外周寄りの部位は、絞り板１８の後端面１８ｋに付き当たっている。よって、本実施の形態においては、レンズ４１の先端面４１ｓは突き当て面を構成している。尚、先端面４１ｓは、フランジ３１ｆの先端面３１ｆｓよりも前方に位置している。【００９１】
また、フランジ３１ｆの延出端面３１ｆｎは、接着剤Ｂを介してレンズ４１の外周面４１ｇに当接している。【００９２】
このことにより、絞り板１８の後方に、絞り板１８の後端面１８ｋ、レンズ４１の外周面４１ｇ、フランジ３１ｆの先端面３１ｆｓ、レンズ枠３１の内周面３１ｎから構成された接着剤溜まり空間３９が形成されている。尚、本実施の形態においてはレンズ４１の外周面４１ｇにおいて接着剤溜まり空間３９を構成する部位が段部Ｄを構成している。【００９３】
接着剤溜まり空間３９は、上述した第１の間隙Ｋ１、第２の間隙Ｋ２、第３の間隙Ｋ３に連通しており、接着剤溜まり空間３９内に注入された接着剤Ａにより、絞り板１８の後端面１８ｋは、フランジ３１ｆの先端面３１ｆｓ及びレンズ４１の外周面４１ｇに固定されている。尚、その他の構成は、上述した第１実施の形態と同じである。【００９４】
次に、保持孔３１ｈへの対物レンズ４０、絞り板１８の固定方法を説明する。  
保持孔３１ｈに対物レンズ４０、絞り板１８を固定する場合には、先ず、フランジ３１ｆの先端面３１ｆｓが上方を指向する向きにおいて、保持孔３１ｈの先端開口３１ｈｓを介して、レンズ４１を保持孔３１内に嵌入し、フランジ３１ｆの延出端面３１ｆｎに対して、接着剤Ｂを介して先端面４１ｓがフランジ３１ｆの先端面３１ｆｓよりも前方に位置するよう固定する。【００９５】
次いで、保持孔３１ｈの先端開口３１ｈｓを介して、内部に絞り板１８を嵌入する。その結果、絞り板１８の後端面１８ｋの一部は、レンズ４１の先端面４１ｓに突き当たることにより、保持孔３１ｈにおいて絞り板１８が位置決めされ、絞り板１８の外周面１８ｇとレンズ枠３１の内周面３１ｎとの間には、第３の間隙Ｋ３が形成されるとともに、上述した接着剤溜まり空間３９が形成される。尚、その他の固定方法は、上述した第１実施の形態と同じである。【００９６】
このような構成によれば、上述した第１実施形態のように、突き当て部として、上述した筒状部材３２を用いる必要が無くなることから、製造コストを低減することができる。尚、その他の効果は、上述した第１実施の形態と同じである。【００９７】
（第３実施の形態）
図１０は、本実施の形態を示す内視鏡の挿入部の先端部内に設けられた前側レンズ及び前側レンズ枠の先端側を示す部分断面図である。【００９８】
この第３実施の形態の内視鏡の構成は、上述した図１〜図３に示した第１実施の形態の内視鏡と比して、突き当て部が間隔管から構成されている点が異なる。よって、この相違点のみを説明し、第１実施の形態と同様の構成には同じ符号を付し、その説明は省略する。【００９９】
図１０に示すように、本実施の形態においては、突き当て部は、径方向Ｒの中央に開口６０ｈを有し、フランジ３１ｆの延出端面３１ｆｎと外周面６０ｇが嵌合する断面クランク状を有する間隔管６０から構成されている。【０１００】
より具体的には、本実施の形態においては、絞り板１８と対物レンズ４０より後端側に位置するレンズ４１との挿入方向Ｓに一致する保持孔３１ｈの中心軸方向における間隔を位置付ける間隔管６０を有し、該間隔管６０の先端面６０ｓは、絞り板１８の後端面１８ｋに付き当たっている。よって、本実施の形態においては、先端面６０ｓは、突き当て面を構成している。そして、間隔管６０の後端面はレンズ４１の先端面と当接している。【０１０１】
尚、先端面６０ｓは、フランジ３１ｆの先端面３１ｆｓよりも前方に位置している。【０１０２】
また、フランジ３１ｆの延出端面３１ｆｎは、間隔管６０の外周面６０ｇに当接している。【０１０３】
このことにより、絞り板１８の後方に、絞り板１８の後端面１８ｋ、間隔管６０の外周面６０ｇ、フランジ３１ｆの先端面３１ｆｓ、レンズ枠３１の内周面３１ｎから構成された接着剤溜まり空間３９が形成されている。尚、本実施の形態においては間隔管６０の外周面６０ｇにおいて接着剤溜まり空間３９を構成する部位が段部Ｄを構成している。【０１０４】
接着剤溜まり空間３９は、上述した第１の間隙Ｋ１、第２の間隙Ｋ２、第３の間隙Ｋ３に連通しており、接着剤溜まり空間３９内に注入された接着剤Ａにより、絞り板１８の後端面１８ｋは、フランジ３１ｆの先端面３１ｆｓ及び間隔管６０の外周面６０ｇに固定されている。尚、その他の構成は、上述した第１実施の形態と同じである。【０１０５】
次に、保持孔３１ｈへの対物レンズ４０、絞り板１８の固定方法を説明する。  
保持孔３１ｈに対物レンズ４０、絞り板１８を固定する場合には、先ず、フランジ３１ｆの先端面３１ｆｓが上方を指向する向きにおいて、保持孔３１ｈの先端開口３１ｈｓを介して、内部に絞り板１８を嵌入する。【０１０６】
その結果、絞り板１８の後端面１８ｋの一部は、間隔管６０の先端面６０ｓに突き当たることにより、保持孔３１ｈにおいて絞り板１８が位置決めされ、絞り板１８の外周面１８ｇとレンズ枠３１の内周面３１ｎとの間には、第３の間隙Ｋ３が形成されるとともに、上述した接着剤溜まり空間３９が形成される。【０１０７】
尚、その他の固定方法は、上述した第１実施の形態と同じであり、このような構成によっても上述した第１実施の形態と同様の効果を得ることができる。【０１０８】
（第４実施の形態）
図１１は、本実施の形態を示す内視鏡の挿入部の先端部内に設けられた前側レンズ及び前側レンズ枠の先端側を示す部分断面図、図１２は、図１１のフランジの先端面に板状部材の後端面を貼着した状態のみを示す部分断面図、図１３は、図１１の絞り板の後端面に板状部材の先端面を貼着した状態のみを示す部分断面図である。【０１０９】
この第４実施の形態の内視鏡の構成は、上述した図１〜図３に示した第１実施の形態の内視鏡と比して、突き当て部が板状部材から構成されている点が異なる。よって、この相違点のみを説明し、第１実施の形態と同様の構成には同じ符号を付し、その説明は省略する。【０１１０】
図１１に示すように、本実施の形態においては、突き当て部は、径方向Ｒの中央に開口６２ｈを有する、径方向Ｒの外径が絞り板１８よりも小さく、開口６２ｈの開口径が絞り板１８の開口１８ｈと同等もしくは大きい、リング状（筒状）の板状部材６２から構成されている。【０１１１】
より具体的には、本実施の形態においては、板状部材６２は、図１２に示すようにフランジ３１ｆの先端面３１ｆｓに板状部材６２の後端面６２ｋが接着固定されるか、図１３に示すように、絞り板１８の後端面１８ｋに板状部材６２の先端面６２ｓが接着固定されるかにより保持孔３１ｈに設けられており、板状部材６２の先端面６２ｓは、絞り板１８の後端面１８ｋに付き当たっている。よって、本実施の形態においては、板状部材６２の先端面６２ｓは、突き当て面を構成している。尚、先端面６２ｓは、フランジ３１ｆの先端面３１ｆｓよりも前方に位置している。【０１１２】
また、フランジ３１ｆの先端面３１ｆｓにおける延出端面３１ｆｎ側の部位は、板状部材６２の後端面６２ｋに当接している。【０１１３】
このことにより、絞り板１８の後方に、絞り板１８の後端面１８ｋ、板状部材６２の外周面６２ｇ、フランジ３１ｆの先端面３１ｆｓ、レンズ枠３１の内周面３１ｎから構成された接着剤溜まり空間３９が形成されている。尚、本実施の形態においては板状部材６２の外周面６２ｇが段部Ｄを構成している。【０１１４】
接着剤溜まり空間３９は、上述した第１の間隙Ｋ１、第２の間隙Ｋ２、第３の間隙Ｋ３に連通しており、接着剤溜まり空間３９内に注入された接着剤Ａにより、絞り板１８の後端面１８ｋは、フランジ３１ｆの先端面３１ｆｓ及び板状部材６２の外周面６２ｇに固定されている。尚、その他の構成は、上述した第１実施の形態と同じである。【０１１５】
次に、保持孔３１ｈへの対物レンズ４０、絞り板１８の固定方法を説明する。  
保持孔３１ｈに対物レンズ４０、絞り板１８を固定する場合には、先ず、図１３に示すように、絞り板１８の後端面１８ｋに板状部材６２の先端面６２ｓを貼着し、フランジ３１ｆの先端面３１ｆｓが上方を指向する向きにおいて、保持孔３１ｈの先端開口３１ｈｓを介して、内部に板状部材６２が貼着された絞り板１８を嵌入する。【０１１６】
その結果、板状部材６２の後端面６２ｋは、フランジ３１ｆの先端面３１ｆｓに突き当たることにより、保持孔３１ｈにおいて絞り板１８が位置決めされ、絞り板１８の外周面１８ｇとレンズ枠３１の内周面３１ｎとの間には、第３の間隙Ｋ３が形成されるとともに、上述した接着剤溜まり空間３９が形成される。【０１１７】
尚、上述した図１２に示すように、先ず、フランジ３１ｆの先端面３１ｆｓが上方を指向する向きにおいて、保持孔３１ｈの先端開口３１ｈｓを介して、内部に板状部材６２を嵌入して先端面３１ｆｓに板状部材６２を貼着し、その後、保持孔３１ｈに絞り板１８を嵌入して、板状部材６２の先端面６２ｓに絞り板１８の後端面１８ｋを突き当てても良い。【０１１８】
尚、その他の固定方法は、上述した第１実施の形態と同じであり、このような構成によっても上述した第１実施の形態と同様の効果を得ることができる。【０１１９】
（第５実施の形態）
図１４は、本実施の形態を示す内視鏡の挿入部の先端部内に設けられた前側レンズ及び前側レンズ枠の先端側を示す部分断面図、図１５は、図１４の絞り板を、図１４中のXV方向からみた平面図である。【０１２０】
この第５実施の形態の内視鏡の構成は、上述した図１〜図３に示した第１実施の形態の内視鏡と比して、絞り板の外周の一部に切り欠き部が形成されている点が異なる。よって、この相違点のみを説明し、第１実施の形態と同様の構成には同じ符号を付し、その説明は省略する。【０１２１】
図１４、図１５に示すように、本実施の形態においては、絞り板１８の外周面１８ｇにおける周方向Ｃの一部に、切り欠き部１８ｖが形成されている。【０１２２】
ここで、上述したように、対物レンズ４０の外周面４０ｇと内周面３１ｎとの間の第１の間隙Ｋ１は、絞り板１８の外周面１８ｇと内周面３１ｎとの間の第３の間隙Ｋ３と等しくなっている。【０１２３】
即ち、第１の間隙Ｋ１の径方向Ｒの幅と、第３の間隙Ｋ３の径方向Ｒの幅とは、共に幅ｒ１として等しくなっているが、切り欠き部１８ｖにより、径方向Ｒにおいて、切り欠き部１８ｖとレンズ枠３１の内周面３１ｎとの間の第４の間隙Ｋ４は、絞り板１８の他の外周面１８ｇに対する上述した第３の間隙Ｋ３よりも大きくなっており（Ｋ４＞Ｋ３）、第４の間隙Ｋ４の径方向Ｒの幅ｒ２は、幅ｒ１よりも大きくなっている（ｒ２＞ｒ１）。【０１２４】
このことによれば、仮に径方向Ｒにおいて、絞り板１８の外径が対物レンズ４０の外径よりも若干大きく、即ち第３の間隙Ｋ３が第１の間隙Ｋ１よりも若干大きく、第３の間隙Ｋ３の幅ｒ１が非常に小さい場合、接着剤溜まり空間３９に接着剤Ａが注入し難くなるが、絞り板１８に切り欠き部１８ｖが形成されていることにより、切り欠き部１８ｖにより第３の間隙Ｋ３よりも大きい第４の間隙Ｋ４を絞り板１８の外周面１８ｇと内周面３１ｎとの間に確保することができることから、確実に、接着剤溜まり空間３９に接着剤Ａを注入することができる。【０１２５】
尚、接着剤溜まり空間３９に注入された接着剤Ａは周状に充填されるため、切り欠き部１８ｖが無い部位に対向する接着剤溜まり空間３９にも確実に接着剤Ａは充填される。尚、接着剤溜まり空間３９に接着剤Ａを注入することによる効果は、上述した第１実施の形態と同じである。また、その他の効果も、上述した第１実施の形態と同じである。【０１２６】
（第６実施の形態）
図１６は、本実施の形態を示す内視鏡の挿入部の先端部内に設けられた前側レンズ及び前側レンズ枠の先端側を示す部分断面図、図１７は、図１６の前側レンズ枠を、図１６中のXVII方向からみた平面図である。【０１２７】
この第６実施の形態の内視鏡の構成は、上述した図１〜図３に示した第１実施の形態の内視鏡と比して、レンズ枠の内周面において周方向の一部に挿入方向に沿った溝が形成されている点が異なる。よって、この相違点のみを説明し、第１実施の形態と同様の構成には同じ符号を付し、その説明は省略する。【０１２８】
図１６、図１７に示すように、本実施の形態においては、少なくとも保持孔３１ｈのフランジ３１ｆより前方の内周面３１ｎの周方向Ｃの一部に、挿入方向Ｓと一致する保持孔３１ｈの中心軸方向に沿って、接着剤溜まり空間３９に連通する溝３１ｍが形成されている。【０１２９】
ここで、上述したように、対物レンズ４０の外周面４０ｇと内周面３１ｎとの間の第１の間隙Ｋ１は、絞り板１８の外周面１８ｇと内周面３１ｎとの間の第３の間隙Ｋ３と等しくなっている。【０１３０】
即ち、第１の間隙Ｋ１の径方向Ｒの幅と、第３の間隙Ｋ３の径方向Ｒの幅とは、共に幅ｒ１として等しくなっているが、溝３１ｍにより、径方向Ｒにおいて、内周面３１ｎにおける溝３１ｍと対物レンズ４０の外周面４０ｇ及び絞り１８の外周面１８ｇとの間の第５の間隙Ｋ５は、上述した第３の間隙Ｋ３よりも大きくなっており（Ｋ５＞Ｋ３）、第５の間隙Ｋ５の径方向Ｒの幅ｒ４は、幅ｒ１よりも大きくなっている（ｒ４＞ｒ１）。【０１３１】
このことによれば、仮に径方向Ｒにおいて、絞り板１８の外径が対物レンズ４０の外径よりも若干大きく、即ち第３の間隙Ｋ３が第１の間隙Ｋ１よりも若干大きく、第３の間隙Ｋ３の幅ｒ１が非常に小さい場合、接着剤溜まり空間３９に接着剤Ａが注入し難くなるが、内周面３１ｎに溝３１ｍが形成されていることにより、溝３１ｍにより第３の間隙Ｋ３よりも大きい第５の間隙Ｋ５を絞り板１８の外周面１８ｇと内周面３１ｎとの間に確保することができることから、確実に、接着剤溜まり空間３９に接着剤Ａを注入することができる。【０１３２】
また、本実施形態においては、溝３１ｍを、少なくとも上述した第２の間隙Ｋ２と接着剤溜まり空間３９とを連通する位置に設けているが、これに限らず、溝３１ｍの先端側がレンズ枠３１の先端面まで貫通するように設け、すなわち溝３１ｍが、レンズ枠３１の先端面からフランジ３１ｆの先端面３１ｆｓまでの、保持孔３１ｈの内周面３１ｎの一部に設けても良い。【０１３３】
尚、接着剤溜まり空間３９に注入された接着剤Ａは、周状に充填されるため、溝３１ｍが無い部位に対向する接着剤溜まり空間３９にも確実に接着剤Ａは充填される。接着剤溜まり空間３９に接着剤Ａを注入することによる効果は、上述した第１実施の形態と同じである。また、その他の効果も、上述した第１実施の形態と同じである。【０１３４】
なお、上述した実施形態においては、保持孔３１ｈの中心軸が挿入部２の挿入方向Ｓと平行である所謂直視型の内視鏡としたが、これに限らず、保持孔３１ｈの中心軸が挿入方向Ｓと略直交する所謂側視型の内視鏡に、上述した実施形態と同様の保持孔を設けても良い。【０１３５】
本出願は、２０１２年２月２７日に日本国に出願された特願２０１２−０３９８８５号を優先権主張の基礎として出願するものであり、上記の内容は、本願明細書、請求の範囲、図面に引用されたものである。
【図１】
2013128681.tif 000003
【図２】
2013128681.tif 000004
【図３】
2013128681.tif 000005
【図４】
2013128681.tif 000006
【図５】
2013128681.tif 000007
【図６】
2013128681.tif 000008
【図７】
2013128681.tif 000009
【図８】
2013128681.tif 000010
【図９】
2013128681.tif 000011
【図１０】
2013128681.tif 000012
【図１１】
2013128681.tif 000013
【図１２】
2013128681.tif 000014
【図１３】
2013128681.tif 000015
【図１４】
2013128681.tif 000016
【図１５】
2013128681.tif 000017
【図１６】
2013128681.tif 000018
【図１７】
2013128681.tif 000019
【手続補正書】
【提出日】平成25年7月22日(2013.7.22)
【手続補正１】
【補正対象書類名】明細書
【補正対象項目名】００１７
【補正方法】変更
【補正の内容】
【００１７】
本発明の一態様における内視鏡は、被検体内に挿入される挿入部の挿入方向の先端側に設けられ、一端に開口を有する保持孔を形成する保持孔内周面を内部に有するとともに該保持孔内周面の径方向の内側に突出する周状のフランジ内周面を有したフランジを有する保持枠と、前記フランジよりも前記開口側の前記保持枠の前記保持孔内周面に接着剤を介して外周面が固定されるとともに、前記開口側の先端面が前記開口より外部に露出し、前記フランジ側の後端面の前記径方向の中央に前記開口側に凹む球欠部が形成された第１のレンズと、前記保持孔において、前記レンズと前記フランジとの間に配設されるとともに、前記フランジよりも前記開口側の前記保持孔内周面に前記接着剤を介して外周面が固定され、前記レンズの前記球欠部を除く前記後端面に前記接着剤を介して前記開口側の先端面が固定されるとともに、前記径方向の中央に開口が形成された絞り板と、前記第１のレンズより前記フランジ側に配設された第２のレンズと、を具備し、前記保持孔における前記絞り板よりも前記フランジ側で且つ前記径方向における前記保持孔内周面より前記フランジ内周面側に位置するとともに、前記絞り板の前記フランジ側の後端面に突き当たる突き当て面を有し、該突き当て面が前記フランジの前記先端面よりも前記開口側に位置することにより、外周が前記フランジの前記先端面と前記突き当て面との間に周状の段部を形成する、前記第２のレンズ自体または前記絞り板と前記第２のレンズとの間隔を位置付ける間隔管からなる突き当て部材を有し、前記絞り板が前記突き当て面に当接することにより、前記絞り板の前記フランジ側に、前記絞り板、前記突き当て部材及び前記フランジから構成された接着剤溜まり空間が形成されており、該接着剤溜まり空間内の前記接着剤により、前記絞り板の前記後端面は、前記フランジの前記先端面及び前記突き当て部材に固定されている。
【手続補正２】
【補正対象書類名】特許請求の範囲
【補正対象項目名】全文
【補正方法】変更
【補正の内容】
【特許請求の範囲】
【請求項１】
被検体内に挿入される挿入部の挿入方向の先端側に設けられ、一端に開口を有する保持孔を形成する保持孔内周面を内部に有するとともに該保持孔内周面の径方向の内側に突出する周状のフランジ内周面を有したフランジを有する保持枠と、
前記フランジよりも前記開口側の前記保持枠の前記保持孔内周面に接着剤を介して外周面が固定されるとともに、前記開口側の先端面が前記開口より外部に露出し、前記フランジ側の後端面の前記径方向の中央に前記開口側に凹む球欠部が形成された第１のレンズと、
前記保持孔において、前記レンズと前記フランジとの間に配設されるとともに、前記フランジよりも前記開口側の前記保持孔内周面に前記接着剤を介して外周面が固定され、前記レンズの前記球欠部を除く前記後端面に前記接着剤を介して前記開口側の先端面が固定されるとともに、前記径方向の中央に開口が形成された絞り板と、
前記第１のレンズより前記フランジ側に配設された第２のレンズと、
を具備し、
前記保持孔における前記絞り板よりも前記フランジ側で且つ前記径方向における前記保持孔内周面より前記フランジ内周面側に位置するとともに、前記絞り板の前記フランジ側の後端面に突き当たる突き当て面を有し、該突き当て面が前記フランジの前記先端面よりも前記開口側に位置することにより、外周が前記フランジの前記先端面と前記突き当て面との間に周状の段部を形成する、前記第２のレンズ自体または前記絞り板と前記第２のレンズとの間隔を位置付ける間隔管からなる突き当て部材を有し、
前記絞り板が前記突き当て面に当接することにより、前記絞り板の前記フランジ側に、前記絞り板、前記突き当て部材及び前記フランジから構成された接着剤溜まり空間が形成されており、該接着剤溜まり空間内の前記接着剤により、前記絞り板の前記後端面は、前記フランジの前記先端面及び前記突き当て部材に固定されていることを特徴とする内視鏡。
【請求項２】
前記突き当て部材は、前記突き当て部材の外周が前記フランジ内周面に固定されるとともに、該外周が前記フランジの前記先端面よりも前記開口側に延出することにより前記段部を形成することを特徴とする請求項１に記載の内視鏡。
【請求項３】
前記突き当て部材は、前記径方向の中央に開口が形成されるとともに前記フランジの前記先端面または前記絞り板の前記後端面に接着固定されたリング状の板状部材であり、該板状部材の外周により前記段部を形成することを特徴とする請求項１に記載の内視鏡。
【請求項４】
前記径方向において前記レンズの前記外周面と前記保持枠内周面との間に形成された、前記接着剤が注入された第１の間隙と、
前記絞り板の前記先端面と前記レンズの前記球欠部を除く前記後端面との間に形成された、前記接着剤が注入された第２の間隙と、
前記径方向において、前記絞り板の前記外周面と前記保持枠内周面との間に前記第１の間隙と同じ間隔で形成された、前記接着剤が注入された第３の間隙と、
を具備し、
前記第１の間隙と前記第２の間隙と前記第３の間隙とは互いに連通しており、さらに前記接着剤溜まり空間に連通していることを特徴とする請求項１に記載の内視鏡。
【請求項５】
前記絞り板の前記外周面において、前記絞り板の周方向の一部に、前記接着剤が注入される切り欠き部が形成されていることを特徴とする請求項１〜４のいずれか１項に記載の内視鏡。
【請求項６】
前記保持枠の前記フランジより前記開口側の前記保持孔内周面において、該保持孔内周面の周方向の一部に前記レンズの光軸方向に沿った前記接着剤が注入される溝部が形成されていることを特徴とする請求項１〜４のいずれか１項に記載の内視鏡。
【請求項７】
前記溝部は、前記接着剤溜まり空間に連通していることを特徴とする請求項６に記載の内視鏡。
【国際調査報告】
2013128681.tif 000020
2013128681.tif 000021
2013128681.tif 000022